(57)【特許請求の範囲】
【請求項１】
複数のキーから構成される操作部のテンキーに対応させた所定の文字を表す第１のマトリックス表、第２のマトリックス表及び第３のマトリックス表を格納しているメモリと、
前記テンキーの何れかが押下されると、前記第１のマトリックス表から前記押下された前記テンキーの何れに対応する行の文字を所定数の前記キーに限定された入力候補群として選択するマトリックス表切替部と、
前記入力候補群を表示するとともに、前記入力候補群の何れかが前記所定数のキーの何れかによって選択されると、その選択された前記入力候補群を入力文字として表示する表示部とを備え、
前記第１のマトリックス表には、五十音の文字と前記第２のマトリックス表への切替えを示す記号が含まれ、
前記第２のマトリックス表には、少なくとも濁音付き文字と前記第１のマトリックス表又は前記第３のマトリックス表への切替えを示す記号が含まれ、
前記第３のマトリックス表には、少なくとも濁音付き文字及び半濁音付き文字と前記第１のマトリックス表への切替えを示す記号が含まれ、
前記第１のマトリックス表での前記切替えを示す記号が選択されると、前記第２のマトリックス表で示される少なくとも濁音付き文字の選択が可能となり、
さらに、前記第２のマトリックス表での前記切替えを示す記号が選択されると、前記第３のマトリックス表で示される少なくとも濁音付き文字又は半濁音付き文字の選択が可能となる
ることを特徴とする携帯電話における文字入力装置。
【請求項２】
前記表示部に表示される前記所定数のキーに限定された入力候補群のうち、前記切替えを示す記号に対応するもの以外の前記所定数のキーの何れかが押下されると、文字確定部により、前記押下された前記所定数のキーの何れかに対応する文字の確定が行われることを特徴とする請求項１に記載の携帯電話における文字入力装置。
【請求項３】
前記表示部には、前記所定数のキーに限定された入力候補群を表示する入力候補群表示エリアと、前記確定された文字を表示する文字入力エリアとが設けられていることを特徴とする請求項１又は２に記載の携帯電話における文字入力装置。
【請求項４】
メモリにより、複数のキーから構成される操作部のテンキーに対応させた所定の文字を表す第１のマトリックス表、第２のマトリックス表及び第３のマトリックス表が格納される工程と、
マトリックス表切替部により、前記テンキーの何れかが押下されると、前記第１のマトリックス表から前記押下された前記テンキーの何れに対応する行の文字が前記所定数のキーに限定された入力候補群として選択される工程と、
表示部により、前記入力候補群が表示されるとともに、前記入力候補群の何れかが前記所定数のキーの何れかによって選択されると、その選択された前記入力候補群が入力文字として表示される工程とを有し、
前記第１のマトリックス表には、五十音の文字と前記第２のマトリックス表への切替えを示す記号が含まれ、
前記第２のマトリックス表には、少なくとも濁音付き文字と前記第１のマトリックス表又は前記第３のマトリックス表への切替えを示す記号が含まれ、
前記第３のマトリックス表には、少なくとも濁音付き文字及び半濁音付き文字と前記第１のマトリックス表への切替えを示す記号が含まれ、
前記第１のマトリックス表での前記切替えを示す記号が選択されると、前記第２のマトリックス表で示される少なくとも濁音付き文字の選択が可能となり、
さらに、前記第２のマトリックス表での前記切替えを示す記号が選択されると、前記第３のマトリックス表で示される少なくとも濁音付き文字又は半濁音付き文字の選択が可能となる
ることを特徴とする携帯電話における文字入力方法。
【請求項５】
前記表示される前記所定数のキーに限定された入力候補群のうち、前記切替えを示す記号に対応するもの以外の前記所定数のキーの何れかが押下されると、文字確定部により、前記押下された前記所定数のキーの何れかに対応する文字の確定が行われることを特徴とする請求項４に記載の携帯電話における文字入力方法。
【請求項６】
前記表示部の入力候補群表示エリアに前記所定数のキーに限定された入力候補群が表示され、
前記表示部の文字入力エリアに前記確定された文字が表示される
ことを特徴とする請求項４又は５に記載の携帯電話における文字入力方法。
【発明の詳細な説明】
【０００１】
【発明の属する技術分野】
本発明は、携帯電話のテンキーにより文字を入力する携帯電話における文字入力装置に関する。
【０００２】
【従来の技術】
一般的に、携帯電話における文字入力は、テンキーを構成する「１」〜「０」キーのそれぞれに５０音の行が割当てられており、何れかのキーの押下した回数により、割当てられている行の文字が変化していく方法が採用されている。
【０００３】
このような方法では、たとえば「１」キーを５回押下すると、あ行の「お」が入力される。また、濁点付きの文字の場合、たとえば「か」を入力した後に、濁点を付けることで、「が」が入力される。また、拗音の入力においては、濁点付きの文字を入力するときのように、一度、通常の文字の確定後に、特殊キーの押下により切替えるか、又は同じキーを６回押下する方法がとられる。ところが、このような方法では、目的の文字を入力するために、テンキーの押下回数が多くなることから、操作性の向上の妨げとなっている。
【０００４】
このような操作性の向上の妨げを解消するようにしたものとして、たとえば特願平１０−３４２７６７号公報では、５０音をマトリックスにすることで、キーの押下回数が少なくなるようにしている。
【０００５】
【発明が解決しようとする課題】
ところが、上述した先行技術では、濁点付きの文字や半濁点付きの文字を入力する場合、濁点のない状態の文字の確定後に、濁点や半濁点を付加する必要がある。また、拗音の文字を入力する場合、たとえば濁点や半濁点のない状態の文字の確定後に濁点や半濁点を付加し、さらに小文字を付加する必要がある。
【０００６】
このようなことから、濁点付きの文字や半濁点付きの文字の入力及び拗音の文字等を入力する場合においては、やはりキーの押下回数が多くなるため、操作性のさらなる向上の妨げとなっている。
【０００７】
本発明は、このような状況に鑑みてなされたものであり、文字入力のためのキー押下回数を大幅に削減することで、操作性のさらなる向上を図ることができる携帯電話における文字入力装置を提供することができるようにするものである。
【０００８】
【課題を解決するための手段】
本発明の携帯電話における文字入力装置は、複数のキーから構成される操作部のテンキーに対応させた所定の文字を表す第１のマトリックス表、第２のマトリックス表及び第３のマトリックス表を格納しているメモリと、前記テンキーの何れかが押下されると、前記第１のマトリックス表から前記押下された前記テンキーの何れに対応する行の文字を所定数の前記キーに限定された入力候補群として選択するマトリックス表切替部と、前記入力候補群を表示するとともに、前記入力候補群の何れかが前記所定数のキーの何れかによって選択されると、その選択された前記入力候補群を入力文字として表示する表示部とを備え、前記第１のマトリックス表には、五十音の文字と前記第２のマトリックス表への切替えを示す記号が含まれ、前記第２のマトリックス表には、少なくとも濁音付き文字と前記第１のマトリックス表又は前記第３のマトリックス表への切替えを示す記号が含まれ、前記第３のマトリックス表には、少なくとも濁音付き文字及び半濁音付き文字と前記第１のマトリックス表への切替えを示す記号が含まれ、前記第１のマトリックス表での前記切替えを示す記号が選択されると、前記第２のマトリックス表で示される少なくとも濁音付き文字の選択が可能となり、さらに、前記第２のマトリックス表での前記切替えを示す記号が選択されると、前記第３のマトリックス表で示される少なくとも濁音付き文字又は半濁音付き文字の選択が可能となることを特徴とする。
また、前記表示部に表示される前記所定数のキーに限定された入力候補群のうち、前記切替えを示す記号に対応するもの以外の前記所定数のキーの何れかが押下されると、文字確定部により、前記押下された前記所定数のキーの何れかに対応する文字の確定が行われるようにすることができる。
また、前記表示部には、前記所定数のキーに限定された入力候補群を表示する入力候補群表示エリアと、前記確定された文字を表示する文字入力エリアとが設けられているようにすることができる。
本発明の携帯電話における文字入力方法は、メモリにより、複数のキーから構成される操作部のテンキーに対応させた所定の文字を表す第１のマトリックス表、第２のマトリックス表及び第３のマトリックス表が格納される工程と、マトリックス表切替部により、前記テンキーの何れかが押下されると、前記第１のマトリックス表から前記押下された前記テンキーの何れに対応する行の文字が前記所定数のキーに限定された入力候補群として選択される工程と、表示部により、前記入力候補群が表示されるとともに、前記入力候補群の何れかが前記所定数のキーの何れかによって選択されると、その選択された前記入力候補群が入力文字として表示される工程とを有し、前記第１のマトリックス表には、五十音の文字と前記第２のマトリックス表への切替えを示す記号が含まれ、前記第２のマトリックス表には、少なくとも濁音付き文字と前記第１のマトリックス表又は前記第３のマトリックス表への切替えを示す記号が含まれ、前記第３のマトリックス表には、少なくとも濁音付き文字及び半濁音付き文字と前記第１のマトリックス表への切替えを示す記号が含まれ、前記第１のマトリックス表での前記切替えを示す記号が選択されると、前記第２のマトリックス表で示される少なくとも濁音付き文字の選択が可能となり、さらに、前記第２のマトリックス表での前記切替えを示す記号が選択されると、前記第３のマトリックス表で示される少なくとも濁音付き文字又は半濁音付き文字の選択が可能となるることを特徴とする。
また、前記表示される前記所定数のキーに限定された入力候補群のうち、前記切替えを示す記号に対応するもの以外の前記所定数のキーの何れかが押下されると、文字確定部により、前記押下された前記所定数のキーの何れかに対応する文字の確定が行われるようにすることができる。
また、前記表示部の入力候補群表示エリアに前記所定数のキーに限定された入力候補群が表示され、前記表示部の文字入力エリアに前記確定された文字が表示されるようにすることができる。
本発明に係る携帯電話における文字入力装置においては、テンキーの何れかが押下されると、マトリックス表切替部により、メモリに格納されている第１〜第３のマトリックス表のうち、第１のマトリックス表から押下されたテンキーの何れに対応する行の文字が所定数のキーに限定された入力候補群として選択され、表示部により、選択された入力候補群が表示されるとともに、入力候補群の何れかが所定数のキーの何れかによって選択されると、その選択された入力候補群が入力文字として表示されるようにする。
【０００９】
【発明の実施の形態】
以下、本発明の実施の形態について説明する。
【００１０】
図１は、本発明の携帯電話における文字入力装置の一実施の形態を示す図、図２は、図１の表示部の表示エリアを説明するための図、図３〜図１０は、図１の文字入力装置における文字入力方法を説明するための図である。
【００１１】
図１に示す携帯電話における文字入力装置（以下、単に文字入力装置という）は、操作部１０１、キー入力受付部１０２、制御部１０３、メモリ１０４、マトリックス表切替部１０５、表示制御部１０６、文字確定部１０７、表示部１０８を備えている。
【００１２】
操作部１０１は、たとえば文字を入力する際に用いられるものであり、テンキーを構成する「１」キー〜「０」キーを有している。キー入力受付部１０２は、操作部１０１のキー入力を受付けるものである。制御部１０３は、所定の制御プログラムに従って、各部の動作を制御するものである。
【００１３】
メモリ１０４には、図７〜図９に示すマトリックス表Ａ〜Ｃに相当するデータや図１０に示すマトリックス表Ａ〜Ｃの遷移順序を示すデータ等が格納されている。ここで、図７〜図９に示すマトリックス表においては、行及び列にある数字（１〜０）が操作部１０１の「１」キー〜「０」キーに対応している。
【００１４】
マトリックス表切替部１０５は、キー入力受付部１０２によって受付けられたキー入力に応じて後述する図７〜図９のマトリックス表Ａ〜Ｃを、図１０に示すマトリックス表Ａ〜Ｃの遷移順序を示すデータに基づいて切替えるものである。なお、マトリックス表Ａ〜Ｃにおいては、何れかのマトリックス表Ａ〜Ｃにおいて文字が確定されると、自動的にマトリックス表Ａに切替えられるようになっている。また、マトリックス表切替部１０５は、「１」キー〜「０」キーの押下に対応して、後述のたとえば図３（ａ）のように、「１」キー〜「６」キーに限定された入力候補群を選択する。
【００１５】
表示制御部１０６は、キー入力受付部１０２によって受付けられたキー入力に応じて表示部１０８への表示内容を制御するものである。文字確定部１０７は、キー入力受付部１０２によって受付けられたキー入力に応じて文字を確定するものである。
【００１６】
表示部１０８は、表示制御部１０６による制御によって所定の内容を表示するものであり、たとえば図２に示すように、文字入力エリア１０９及び入力候補群表示エリア１１０を有している。ちなみに、操作部１０１の「２」キーが押下されると、表示部１０８の入力候補群表示エリア１１０には、たとえば図３（ａ）のように、「１」キー〜「６」キーに限定された入力候補群が表示される。ここで、「１」キー〜「５」キーの何れかが押下されると、「１」キー〜「５」キーの何れかに対応した文字が確定されて文字入力エリア１０９に表示される。またここで、「６」キーが押下されると、表示部１０８の入力候補群表示エリア１１０が図３（ｂ）に示すような内容に切替えられる。ここで、たとえば「１」キーが押下されると、文字確定部１０７により、「が」が確定され、文字入力エリア１０９に表示される。また、「６」キーが押下されると、表示部１０８の入力候補群表示エリア１１０が図３（ａ）に示すような内容に切替えられる。
【００１７】
次に、このような構成の文字入力装置における文字入力方法について説明する。
【００１８】
まず、図４に示すように、操作部１０１の「１」キー〜「０」キーのうち、たとえば「２」キーが押下されると（ステップ４０１）、マトリックス表切替部１０５により、まず図７に示すマトリックス表Ａの「２」キーに対応する「か行」の文字が選択され、図５に示すように、表示部１０８の入力候補群表示エリア１１０に表示制御部１０６によって「１」キー〜「６」キーに限定された入力候補群である「１：か」、「２：き」、「３：く」、「４：け」、「５：こ」、「６：切替」が表示される（ステップ４０２）。ここで、操作部１０１のたとえば「１」キーが押下されると（ステップ４０３）、文字確定部１０７により、「か」の文字が確定され（ステップ４０４）、表示部１０８の文字入力エリア１０９にその確定された「か」が表示される。これにより、一文字目の文字の入力が完了する。
【００１９】
ちなみに、操作部１０１の「１」キー〜「０」キーのうち、「７」〜「０」キーが押下された場合、マトリックス表Ａでは無効となるため、その「７」〜「０」キーは無視され、新たなキーの入力待ちとなる。
【００２０】
また、（ステップ４０３）において、操作部１０１の「６」キーが押下されると、マトリックス表切替部１０５により、マトリックス表Ａがマトリックス表Ｂに切替えられるとともに、表示部１０８の入力候補群表示エリア１１０に、たとえば図６に示すように、「１」キー〜「６」キーに限定された入力候補群である「１：が」、「２：ぎ」、「３：ぐ」、「４：げ」、「５：ご」、「６：切替」が表示される。ここで、操作部１０１のたとえば「１」キーが押下されると、文字確定部１０７により、「が」の濁点付き文字が確定され、表示部１０８の文字入力エリア１０９にその確定された「が」が表示される。これにより、濁点付き文字の入力が完了する。
【００２１】
以上のような手順により、たとえば半濁点付きの文字であるたとえば「ぴ」を入力する場合には、操作部１０１の「６」キーが押下されて、マトリックス表Ａの「は」〜「切替」が表示部１０８の入力候補群表示エリア１１０に表示され、その状態で、操作部１０１の「６」キーが２回押下されると、図９に示すようなマトリックス表Ｃの「ぱ」〜「切替」の入力候補群が表示部１０８の入力候補群表示エリア１１０に表示される。この状態で操作部１０１の「２」キーが押下されると、半濁点付きの文字である「ぴ」が確定され、表示部１０８の文字入力エリア１０９にその確定された「ぴ」が表示される。
【００２２】
また、拗音文字であるたとえば「ぴゅ」を入力する場合には、上記の手順により、まず「ぴ」が入力された後、操作部１０１の「８」キーが押下されると、マトリックス表Ａの「や」〜「切替」の入力候補群が表示部１０８の入力候補群表示エリア１１０に表示される。この状態で、操作部１０１の「６」キーが押下されると、図８のマトリックス表Ｂの「ゃ」、「ゅ」、「ょ」、「切替」の入力候補群が表示部１０８の入力候補群表示エリア１１０に表示されるため、操作部１０１の「３」キーが押下されることで、「ゅ」が確定され、表示部１０８の文字入力エリア１０９にその確定された「ゅ」が表示される。これにより、拗音文字であるたとえば「ぴゅ」が入力される。
【００２３】
また、促音であるたとえば「あっ」を入力する場合には、上記の手順により、まず「あ」が入力された後、操作部１０１の「４」キーが押下されると、マトリックス表Ａの「た」〜「切替」の入力候補群が表示部１０８の入力候補群表示エリア１１０に表示される。この状態で、操作部１０１の「６」キーが押下されると、図８のマトリックス表Ｂの「っ」、「切替」の入力候補群が表示部１０８の入力候補群表示エリア１１０に表示されるため、操作部１０１の「３」キーが押下されることで、「っ」が確定され、表示部１０８の文字入力エリア１０９にその確定された「っ」が表示される。これにより、促音であるたとえば「あっ」が入力される。
【００２４】
このように、本実施の形態では、テンキーを構成する「１」キー〜「０」キーの何れかが押下されると、マトリックス表切替部１０５により、メモリ１０４に格納されている第１〜第３のマトリックス表であるマトリックス表Ａ〜Ｃのうち、マトリックス表Ａから押下されたテンキーの何れに対応する行の文字が所定数のキーである「１」キー〜「６」キーに限定された入力候補群として選択され、表示部１０８により、選択された入力候補群が表示されるとともに、入力候補群の何れかが所定数のキーである「１」キー〜「６」キーの何れかによって選択されると、その選択された入力候補群が入力文字として表示されるようにしたので、濁点及び半濁点付きの文字や拗音及び促音の入力を容易に行うことができる。
【００２５】
また、本実施の形態では、表示部１０８の入力候補群表示エリア１１０に「１」キー〜「６」キーに限定された入力候補群が表示されるため、その入力候補群の何れかを選択することで、入力すべき文字の確定が行われることから、操作性がが大幅に向上するばかりか、従来のポケットベルを打つときのように、マトリックス表Ａ〜Ｃを覚える必要もなくなる。
【００２６】
なお、本実施の形態では、濁点付きの文字や半濁点付きの文字の入力及び拗音や促音の文字を入力する場合について説明したが、この例に限らず、半角カタカナや英数字を入力する場合にも有効である。
【００２７】
すなわち、従来では、半角カタカナや英数字を入力する場合、入力前に「入力文字モード」を切替える必要がある。そのため、たとえば「第２回の」のような数字と平仮名が混じった文章を入力するためには、まず、「全角入力モード」を指定して「だい」を入力し、「数字入力モード」へ切替えてから「２」を入力した後、再び「全角入力モード」へ戻して「かいの」を入力する必要がある。
【００２８】
そこで、本実施の形態では、「全角かな（３つ）」、「半角カタカナ（２つ）」、「全角英数大文字」、「全角英数小文字」、「半角英数大文字」、「半角英数小文字」のように６種類９個のマトリックス表を作成し、メモリ１０４に格納する。そして、マトリックス表切替部１０５により、操作部１０１の「１」キー〜「０」キーの何れかの押下に応じて上述したように、マトリックス表を切替えるようにすることで、上述した「全角入力モード」や「数字入力モード」へ切替えが不要となる。
【００２９】
この場合、「全角かな」→「半角カタカナ」→「全角英数（大文字）」→「全角英数（小文字）」→「半角英数（大文字）」→「半角英数（小文字）」→「全角かな」の順にマトリックス表を遷移させるようにする。なお、「全角かな」には３つのマトリックス表で遷移を行い、同様に「半角カタカナ」も２つのマトリックス表で遷移するようにする。
【００３０】
また、この英数字等の入力を行う場合、マトリックス表切替部１０５において入力状態を保持しておき、直前に入力した文字と同じ種類のマトリックス表を第１番目のマトリックス表とするようにすれば、さらに文字入力の操作性が向上する。
【００３１】
【発明の効果】
以上の如く本発明に係る携帯電話における文字入力装置によれば、テンキーの何れかが押下されると、マトリックス表切替部により、メモリに格納されている第１〜第３のマトリックス表のうち、第１のマトリックス表から押下されたテンキーの何れに対応する行の文字が所定数のキーに限定された入力候補群として選択され、表示部により、選択された入力候補群が表示されるとともに、入力候補群の何れかが所定数のキーの何れかによって選択されると、その選択された入力候補群が入力文字として表示されるようにしたので、文字入力のためのキー押下回数を大幅に削減することができ、操作性のさらなる向上を図ることができる。
【図面の簡単な説明】
【図１】本発明の携帯電話における文字入力装置の一実施の形態を示す図である。
【図２】図２は、図１の表示部の表示エリアを説明するための図である。
【図３】図１の文字入力装置における文字入力方法を説明するための図である。
【図４】図１の文字入力装置における文字入力方法を説明するためのフローチャートである。
【図５】図１の文字入力装置における文字入力方法を説明するための図である。
【図６】図１の文字入力装置における文字入力方法を説明するための図である。
【図７】図１の文字入力装置における文字入力方法を説明するための図である。
【図８】図１の文字入力装置における文字入力方法を説明するための図である。
【図９】図１の文字入力装置における文字入力方法を説明するための図である。
【図１０】図１の文字入力装置における文字入力方法を説明するための図である。
【符号の説明】
１０１  操作部
１０２  キー入力受付部
１０３  制御部
１０４  メモリ
１０５  マトリックス表切替部
１０６  表示制御部
１０７  文字確定部
１０８  表示部
１０９  文字入力エリア
１１０  入力候補群表示エリア
【図１】
0004310931.tif 000002
【図２】
0004310931.tif 000003
【図３】
0004310931.tif 000004
【図４】
0004310931.tif 000005
【図５】
0004310931.tif 000006
【図６】
0004310931.tif 000007
【図７】
0004310931.tif 000008
【図８】
0004310931.tif 000009
【図９】
0004310931.tif 000010
【図１０】
0004310931.tif 000011